(57)【要約】【課題】粗い粒子のみならず細かい粒子を除去できる布団乾燥機を提供する。【解決手段】  布団８，９に温風Ｏを送って乾燥させる乾燥ユニット１３と、前記乾燥ユニット１３に前記温風Ｏを供給する本体部２１と、前記本体部２１の前記温風Ｏのもととなる空気の空気吸い込み口Ｖｃと連通して設置され粗い粒子を除去する第１のフィルタ６１と、前記空気吸い込み口Ｖｃと連通して設置され前記第１のフィルタよりも細かい粒子を除去する第２のフィルタ６０と、を備えることを特徴とする布団乾燥機２Ｆとする。【選択図】図１０
2016073500.tif 000002
【特許請求の範囲】
【請求項１】
布団に温風を送って乾燥させる乾燥ユニットと、
前記乾燥ユニットに前記温風を供給する本体部と、
前記本体部の前記温風のもととなる空気の空気吸い込み口と連通して設置され粗い粒子を除去する第１のフィルタと、
前記空気吸い込み口と連通して設置され前記第１のフィルタよりも細かい粒子を除去する第２のフィルタと、を備えること
を特徴とする布団乾燥機。
【請求項２】
布団に温風を送って乾燥させる乾燥ユニットと、
前記乾燥ユニットに前記温風を供給する本体部と、
前記本体部の前記温風のもととなる空気の空気吸い込み口と連通するように凹設され第１のフィルタおよび前記第１のフィルタより細かい粒子を除去する第２のフィルタが収納される収納部と、を備えること
を特徴とする布団乾燥機。
【請求項３】
前記第２のフィルタはＨＥＰＡフィルタまたはＵＬＰＡフィルタであることを特徴とする、請求項２に記載の布団乾燥機。
【請求項４】
布団に温風を送って乾燥させる乾燥ユニットと、
前記乾燥ユニットに前記温風を供給する本体部と、
前記本体部の前記温風のもととなる空気の空気吸い込み口と連通するように凹設され粗い粒子を除去する第１のフィルタおよび第２のフィルタが収納される収納部と、を備え、
前記第２のフィルタは、脱臭または消臭フィルタ、抗菌または除菌フィルタ、除湿フィルタ、芳香剤を含むフィルタのうち、少なくともいずれか１つ以上である
ことを特徴とする、布団乾燥機。
【請求項５】
前記本体部は、前記収納部を覆うカバー部材を含んでなり、
前記カバー部材は、１または複数のガード部材を有してなり、
前記ガード部材は、前記第２のフィルタの脱落を防止するとともに、前記第１のフィルタを装着できるようにされていることを特徴とする、請求項２ないし請求項４のいずれか１項に記載の布団乾燥機。
【請求項６】
前記収納部は、前記本体部の前面側に設けられていることを特徴とする、請求項２ないし請求項５のいずれか１項に記載の布団乾燥機。
【発明の詳細な説明】
【技術分野】
【０００１】
本発明は布団乾燥機に関する。
【背景技術】
【０００２】
従来、布団乾燥機にエアフィルタを装設可能にされたものが考案されている（例えば特許文献１参照）。
【先行技術文献】
【特許文献】
【０００３】
【特許文献１】公開実用新案公報平４−０６０１９５号公報
【発明の概要】
【発明が解決しようとする課題】
【０００４】
特許文献１に記載の布団乾燥機は、「本体の空気流路の吸気口もしくは空気の排気口に乾燥剤を含むフィルタを装設し、エアマットを着脱自在に取付けてなる」ものが開示されている。しかし、より細かい粒子を除去することはできない。
【０００５】
そこで本発明は上記実状に鑑みて、粗い粒子のみならず細かい粒子を除去できる布団乾燥機を提供することを目的とする。
【課題を解決するための手段】
【０００６】
上記課題を解決するために、本発明は、布団に温風を送って乾燥させる乾燥ユニットと、前記乾燥ユニットに前記温風を供給する本体部と、前記本体部の前記温風のもととなる空気の空気吸い込み口と連通して設置され粗い粒子を除去する第１のフィルタと、前記空気吸い込み口と連通して設置され前記第１のフィルタよりも細かい粒子を除去する第２のフィルタと、を備えることを特徴とする。
【０００７】
また、本発明は、布団に温風を送って乾燥させる乾燥ユニットと、前記乾燥ユニットに前記温風を供給する本体部と、前記本体部の前記温風のもととなる空気の空気吸い込み口と連通するように凹設され第１のフィルタおよび前記第１のフィルタより細かい粒子を除去する第２のフィルタが収納される収納部と、を備えることを特徴とする。
【０００８】
また、本発明は、布団に温風を送って乾燥させる乾燥ユニットと、前記乾燥ユニットに前記温風を供給する本体部と、前記本体部の前記温風のもととなる空気の空気吸い込み口と連通するように凹設され粗い粒子を除去する第１のフィルタおよび第２のフィルタが収納される収納部と、を備え、前記第２のフィルタは、脱臭または消臭フィルタ、抗菌または除菌フィルタ、除湿フィルタ、芳香剤を含むフィルタのうち、少なくともいずれか１つ以上であることを特徴とする。
【発明の効果】
【０００９】
本発明によれば、粗い粒子のみならず細かい粒子を除去できる布団乾燥機を提供することができる。
【図面の簡単な説明】
【００１０】
【図１】実施形態に係わる布団乾燥機を示す図であり、畳上の布団の乾燥を行っている状態を説明する図。
【図２】（ａ）は実施形態の布団乾燥機２Ｆの乾燥ユニット１３を斜め上前方から見た斜視図。（ｂ）は布団乾燥機の乾燥マット近傍を上方から見た断面図。
【図３】布団乾燥機を使用時の、乾燥機本体の開閉蓋を開けた状態を上方から見た図。
【図４】乾燥機本体の内部に乾燥ユニットとホースとを収納した状態を上方から見た図。
【図５】ハンドルを乾燥機本体から引き出した状態を示す斜視図。
【図６】ハンドルを乾燥機本体内に収容した状態の乾燥機本体の上部を前面側から見た断面図。
【図７】(ａ)はハンドルを乾燥機本体内から引き出した状態の乾燥機本体の上右部を前面側から見た断面図、 (ｂ)はハンドルを乾燥機本体内から引き出した状態の乾燥機本体の上右部を前面斜め下側から見た斜視図。
【図８】化粧パネルを取り外した乾燥機本体を斜め上前方から見た斜視図。
【図９】（ａ）はフィルタカバーを乾燥機本体の外側から見た斜視図。（ｂ）はフィルタカバーを乾燥機本体の内側から見た斜視図。
【図１０】（ａ）は、乾燥機本体からフィルタカバーを取り外した状態を示す図。（ｂ）は、（ａ）の状態から、ＨＥＰＡフィルタを装着したときの状態を示す図。
【図１１】（ａ）は、図８のＸ−Ｘ断面図であり、実施形態に係わるフィルタカバーの蓋係合突起と乾燥機本体の蓋被係合孔が係合した様子を説明する図。（ｂ）は、蓋係合突起と蓋被係合孔が係合する直前の様子を説明する断面図。（ｃ）は、蓋係合突起と蓋被係合孔との係合が解除された直後の様子を説明する断面図。
【図１２】図８のＹ−Ｙ断面図であり、実施形態に係わるフィルタカバーのカバー側ガード部およびガード支柱がそれぞれ、粗いフィルタおよびＨＥＰＡフィルタをガードする様子を説明する図。
【図１３】図８のＺ−Ｚ断面図であり、実施形態に係わるフィルタカバーの位置決め係合突起と乾燥機本体の位置決め被係合孔とが係合した様子を説明する図。
【図１４】乾燥機本体から取り外した化粧パネルの内部側を斜め上方から見た斜視図。
【図１５】化粧パネルの下部が、乾燥機本体に係合した状態を示す要部の切り欠き斜視図。
【図１６】化粧パネルの上部が、乾燥機本体に係合した状態を示す要部の切り欠き斜視図。
【発明を実施するための形態】
【００１１】
＜＜実施形態の説明＞＞
以下、本発明の実施形態について、適宜図面を参照しながら詳細に説明する。
【００１２】
図１は、実施形態に係わる布団乾燥機を示す斜視図であり、畳の上の布団の乾燥を行っている状態を説明する図である。
実施形態の布団乾燥機２Ｆは、布団などの乾燥に使用する箱形状の乾燥ユニット１３(後記の図２（ａ）、図２（ｂ）参照)を、乾燥機本体２１内に容易に収納ができる構成を有してなる。また、布団乾燥機２Ｆは乾燥ユニット１３の未使用時の保管性や持ち運びがし易いようにされている。
【００１３】
布団乾燥機２Ｆは、乾燥機本体２１とホース２と乾燥ユニット１３(後記する図２（ａ）参照)とを備えている。乾燥ユニット１３は、布団(８、９)の乾燥に用いる乾燥器具である箱形状のアタッチメントである。
【００１４】
乾燥機本体２１は、布団乾燥機２Ｆの使用中、容易に転倒することがないように安定性が得られる略キューブ型(六面体、直方体)の形状を有している。これにより、乾燥機本体２１は、横置き縦置きの使用（後記する図１、図３を参照）が可能な構成となっている。また、乾燥機本体２１は、フィルタカバーｆ（後記図８、図９参照）を含んでなる。
【００１５】
そのため、布団乾燥機２Ｆの未使用時にも、乾燥機本体２１の内部にホース２と乾燥ユニット１３とを収容して、乾燥機本体２１を縦置きや横置き状態にしてしまうことができる。
乾燥機本体２１は、送風を発生させるファン(図示せず)と、ファンを駆動するモータＭ(図３参照)と、ファンからの送風を温風とする第１・第２のヒータ(図示せず)とを有している。そして、乾燥機本体２１は、ファン、モータＭ、第１・第２のヒータを制御する制御部を有している。
【００１６】
制御部は、制御プログラムが実行されるマイクロコンピュータと、モータ駆動制御回路、ヒータ制御回路、センサ回路等の周辺回路を有している。
乾燥ユニット１３は、乾燥機本体２１内に収納されるので、乾燥機本体２１内の部品と干渉することがないように例えば二股形状を有している。
【００１７】
図１に示すように、布団乾燥機２Ｆで畳上の布団(８、９)を乾燥する場合、乾燥機本体２１を横置きにして、乾燥機本体２１の下側の角部２１ｋ８から延出される電源コードＣのプラグｃｐを電源コンセント(図示せず)に差し込む。そして、操作部２１ｓの操作スイッチ２１ｂ（後記の図３参照）を押下することで所望の乾燥運転モードが開始され、乾燥ユニット１３の温風吹出し口１３ａ，１３ａ１，１３ｂ，１３ｄｕ，１３ｄｓ（後記図２（ａ）参照）から温風Ｏが吹き出される。
【００１８】
或いは、布団乾燥機２Ｆで、洋室のベッドＢの上の布団(８、９)を乾燥してもよい。この場合、乾燥機本体２１を縦置きにして、乾燥機本体２１の下側の角部角部２１ｋ８から後方に延出される電源コードＣのプラグｃｐを電源コンセント(図示せず)に差し込むこともできる。そして、操作部２１ｓの操作スイッチ２１ｂ（後記の図３参照）を押下することで所望の乾燥運転モードが開始され、乾燥ユニット１３の温風吹出し口１３ａ，１３ａ１，１３ｂ，１３ｄｕ，１３ｄｓ（後記図２（ａ）参照）から温風Ｏが吹き出される。
【００１９】
＜乾燥機本体２１の外装＞
乾燥機本体２１の手前上部には、操作部２１ｓが配置されている。操作部２１ｓは表示装置２１ｈと複数の操作スイッチ２１ｂ(２１ｂ１、２１ｂ２、……)とを有している（いずれも図３で後記）。
乾燥機本体２１の操作部２１ｓ後方には、乾燥機本体２１を持ち運びする際に把持されるハンドル２４と、乾燥機本体２１の内部を開閉する開閉蓋２５とが備わっている。
【００２０】
開閉蓋２５は、乾燥機本体２１の筺体２１ｋの後上部に設けられる回転支持部２５ｓ（後記の図３も参照）に回転自在に支持されている。
乾燥機本体２１の前面側には、室内の空気を吸い込む吸込み口（図示せず）が設けられている。吸込み口の手前には、室内の空気中に含まれる粉塵などを取り除くフィルタカバーｆ（詳細は図８で後記）が設けられている。
さらに、乾燥機本体２１の前面側のフィルタカバーｆを覆うようにして、化粧パネル２６（後記図３など参照）が、取り付けまたは取り外し自在に取り付けられている。
【００２１】
＜乾燥ユニット１３＞
図２（ａ）は、布団乾燥機２Ｆの乾燥ユニット１３を斜め上前方から見た斜視図である。
図２（ａ）に示すように、乾燥ユニット１３は、前端部(一端部)の中央近辺の位置に、前端部側から中央付近にかけて切り欠いた形状の通気スペース１３Ｐを形成する。そして、ホース２が連結される後部側は、箱形の筺体形状としている。つまり、乾燥ユニット１３は、平面視で、二股形状、または略コの字状の形状をもつ扁平な箱形状(筐体形状)に合成樹脂や樹脂を含浸した布状繊維等で構成されている。
【００２２】
乾燥ユニット１３が前記したような二股形状を有している場合、二股形状と対向する側の中央部分には、ホース２からの空気流を乾燥ユニット１３に供給する際の継ぎ手であるホース接続部口２ａ(後記図４も併せて参照)が取り付けられている。ホース接続部口２ａはホース２の円形の開口を乾燥ユニット１３の矩形状の開口に連結する接続アタッチメントの役割を担っている。ホース接続部口２ａは、例えば合成樹脂で成形されている。
【００２３】
乾燥ユニット１３は、通気スペース１３Ｐの両脇に細長い箱形状をもって長手方向に延びる一対の脚部１３Ａが形成されている。
乾燥ユニット１３は、前端側の両脇に細長い形状をもつ一対の脚部１３Ａが形成されることによって、その中央部付近に、布団(８、９)に対して温風Ｏが吹き出すための空間である温風吹き出しスペース１３Ｐが形成される。そのため、乾燥ユニット１３の中央部付近の布団(８、９)に大きな風量の温風Ｏを当てることができ、乾燥を促進できる。
乾燥ユニット１３から温風Ｏを吹き出す温風吹出し口は以下のように形成されている。
【００２４】
乾燥ユニット１３の一対の脚部１３Ａの前端面を形成する前端縁１３Ａ１には、前部温風吹出し口１３ａが左右方向に長い矩形状の孔に形成されている。換言すれば、前部温風吹出し口１３ａは、乾燥ユニット１３が置かれる載置面Ｓに沿った方向に長い矩形状の孔に形成されている。
【００２５】
前部温風吹出し口１３ａが左右方向(載置面Ｓに沿った方向)に長い矩形状の孔に形成されることによって、温風Ｏを、布団(８、９)が延在する左右方向に前部温風吹出し口１３ａから広げて吹き出すことができる。そのため、前部温風吹出し口１３ａの左右方向の布団(８、９)の乾燥を促進できる。
【００２６】
また、乾燥ユニット１３の一対の脚部１３Ａの間の通気スペース１３Ｐを形成する中央凹部縁１３Ａ２に左右に長い凹部温風吹出し口１３ａ１が形成されている。凹部温風吹出し口１３ａ１が左右に長い孔であることで、乾燥ユニット１３の中央部に形成される通気スペース１３Ｐに左右方向に広げて温風Ｏを吹き出すことができる。
乾燥ユニット１３の上面側には上部温風吹出し口１３ｄｕが円形の形状に形成されている。上部温風吹出し口１３ｄｕが円形であることによって、掛け布団９に対して均等に温風Ｏを吹き出すことができる。
【００２７】
乾燥ユニット１３の下面側には下部温風吹出し口１３ｄｓが、上部温風吹出し口１３ｄｕと同等またはより大きな径の円形の形状に形成されている。下部温風吹出し口１３ｄｓが上部温風吹出し口１３ｄｕと同等またはより大きな径の円形であることによって、湿気が溜まり易い敷き布団８に対してより大きな風量または掛け布団９側と同等の風量の温風Ｏを、均等に吹き出すことができる。
【００２８】
乾燥ユニット１３の両側部には、一対の側部温風吹出し口１３ｂがそれぞれ長手方向(載置面Ｓに沿った方向)に長い形状をもって形成されている。一対の側部温風吹出し口１３ｂが長手方向に長い形状をもつことによって、乾燥ユニット１３の側方に位置する掛け布団９と敷き布団８とに、温風Ｏを広げて吹き出すことができる。
【００２９】
乾燥ユニット１３の後部には、後部温風吹出し口１３ｃが形成されている。後部温風吹出し口１３ｃが形成されることで、乾燥ユニット１３の後部側の布団(８、９)に温風Ｏを当てることができる。
【００３０】
ここで、乾燥ユニット１３に設けた温風吹出し口(１３ｂ、１３ｄｕ、１３ｄｓ)の内側に制風板を設け、温風Ｏが温風吹出し口(１３ｂ、１３ｄｕ、１３ｄｓ)の外部に効果的に送られるように、ホース２からの温風Ｏを温風吹出し口(１３ｂ、１３ｄｕ、１３ｄｓ)の外部に向かうように案内することが好ましい。制風板によって、掛け布団９と敷き布団８内に送風する温風Ｏを布団(８、９)内の隅々まで行き渡せる効果が高まる。なお、温風吹出し口(１３ａ、１３ａ１、１３ｂ、１３ｃ、１３ｄｕ、１３ｄｓ)の少なくとも何れかに制風板を設ける構成としてもよい。
【００３１】
図２（ｂ）は、変形例の布団乾燥機の乾燥マット近傍を上方から見た断面図である。本発明の実施形態に係わる乾燥ユニットは、前記した乾燥ユニット１３に換えて、例えば袋状の乾燥マット１１０であってもよい。
この場合、乾燥マット１１０は、例えば布団乾燥機２Ｆ(図１参照)からホース１０２を介して温風Ｏが、外周部温風通路１１１の内部に供給され、外周部温風通路１１１を通過して中心部温風通路１１２に流れるようにされている。
乾燥マット１１０の下方には敷き布団１０８が載置され、乾燥マット１１０の上方には掛け布団１０９が掛けられる。そして、乾燥マット１１０内から温風を吹き出したり乾燥マット１１０の熱によって、乾燥マット１１０の下方の敷き布団１０８と、乾燥マット１１０の上方の掛け布団１０９とを乾燥させる。
【００３２】
乾燥マット１１０は、外周部に配置される温風Ｏの通路の外周部温風通路１１１と、中心部に配置される温風の通路の中心部温風通路１１２とを有して構成される。
【００３３】
外周部温風通路１１１は、内部に温風Ｏが流れ(滞留し)て筒状形状に膨らみを作り、掛け布団１０９と敷き布団１０８の間に隙間を作る。そして、外周部温風通路１１１を通過した温風は、中心部温風通路１１２に流れ、中心部温風通路１１２から下方の敷き布団１０８側に直接通気して、敷き布団１０８側の乾燥が行われる。
【００３４】
その他、中心部温風通路１１２からの温風が届かない掛け布団１０９や敷き布団１０８は、外周部温風通路１１１および中心部温風通路１１２の熱伝導によって乾燥が行われる。
【００３５】
＜乾燥機本体２１＞
次に、乾燥機本体２１について、図３を参照しながら説明する。
図３は、布団乾燥機を使用時の乾燥機本体の開閉蓋を開けた状態を上方から見た図である。
【００３６】
乾燥機本体２１は、布団乾燥機２Ｆの使用中、容易に転倒することがないように安定性が得られる略キューブ型(六面体、直方体)の形状を有している。これにより、乾燥機本体２１は、横置き縦置きの使用(図１参照)が可能な構成となっている。
【００３７】
そのため、布団乾燥機２Ｆの未使用時にも、乾燥機本体２１の内部にホース２と乾燥ユニット１３とを収容して、乾燥機本体２１を縦置きや横置き状態にしてしまうことができる。
【００３８】
＜乾燥機本体２１の外装＞
乾燥機本体２１の手前上部には、操作部２１ｓ(図１参照)が配置されている。操作部２１ｓは表示装置２１ｈと複数の操作スイッチ２１ｂ(２１ｂ１、２１ｂ２、……)とを有している。
乾燥機本体２１の操作部２１ｓ後方には、乾燥機本体２１を持ち運びする際に把持されるハンドル２４と、乾燥機本体２１の内部を開閉する開閉蓋２５（図１も併せて参照）とが備わっている。
【００３９】
開閉蓋２５は、乾燥機本体２１の筺体２１ｋの後上部に設けられる回転支持部２５ｓに回転自在に支持されている。
乾燥機本体２１の前面側には、化粧パネル２６が、取り付け・取り外し自在に取り付けられている。
【００４０】
＜乾燥機本体２１の内部＞
乾燥機本体２１には、略中央前側に、ファン収納部２１ａとモータ収納部２１ｍとが設けられている。
【００４１】
ファン収納部２１ａには、布団(８、９)に送り込む空気流を発生させるファン(図示せず)が収容されている。ファンによって引き起こされる空気流は、乾燥機本体２１の前面側からフィルタカバーｆ(後記図８参照)を通過して吸込まれる。モータ収納部２１ｍには、ファンを回転駆動させるモータＭが収容されている。
【００４２】
そのため、ファン収納部２１ａとモータ収納部２１ｍとは、乾燥機本体２１の筺体２１ｋから内部に突出した凸形状に形成されている。
ホース２にはファンから空気流が供給されるため、ホース２の一方端部２ｔ１は、ファンが収容されるファン収納部２１ａの連結口２１ｃに接続されている。
【００４３】
図４は、乾燥機本体の内部に乾燥ユニットとホースとを収納した状態を上方から見た図である。
布団乾燥機２Ｆの未使用時には、使用者によって、乾燥機本体２１の連結口２１ｃに一方端部２ｔ１が連結されるホース２の他方端２ｔ２が、乾燥ユニット１３に取り付けられるホース接続部口２ａから外される。なお、乾燥機本体２１の連結口２１ｃは、内蔵されるファンの空気吐き出し口である。
【００４４】
ホース２は、乾燥機本体２１内に屈曲されてファン収納部２１ａ(図３参照)上に収納される。一方、乾燥ユニット１３は、中央に通気スペース１３Ｐが形成される一対の脚部１３Ａ(図２（ａ）参照)側が下方になる姿勢で乾燥機本体２１内に入れられる。詳細には、乾燥ユニット１３の通気スペース１３Ｐの空間にモータ収納部２１ｍ(図３参照)が入り一対の脚部１３Ａがモータ収納部２１ｍを跨ぐようにして、乾燥ユニット１３が乾燥機本体２１内に収納される。
【００４５】
これにより、布団乾燥機２Ｆの未使用時に、乾燥ユニット１３とホース２とを、乾燥機本体２１内にコンパクトな大きさで収納することができる。
そして、開閉蓋２５が閉じられ、乾燥機本体２１内に乾燥ユニット１３が納まった布団乾燥機２Ｆ(後記図５など参照)となる。
【００４６】
＜ハンドル２４＞
図５は、ハンドルを乾燥機本体から引き出した状態を示す斜視図である。
ハンドル２４は、布団乾燥機２Ｆの未使用時には、乾燥機本体２１の筺体２１ｋ内に収容されている。この状態から、布団乾燥機２Ｆを使用する際には、図５に示すように、乾燥機本体２１から持ち手部２４ａを把持してハンドル２４を引き出し、布団(８、９)の乾燥を行う場所まで運んで、布団(８、９)の乾燥作業が行われる。
【００４７】
図６は、ハンドルを乾燥機本体内に収容した状態の乾燥機本体の上部を前面側から見た断面図である。
図７(ａ)は、ハンドルを乾燥機本体内から引き出した状態の乾燥機本体の上右部を前面側から見た断面図であり、図７(ｂ)は、ハンドルを乾燥機本体内から引き出した状態の乾燥機本体の上右部を前面斜め下側から見た斜視図である。
【００４８】
図６に示すように、ハンドル２４は、略コの字状の形状を有する樹脂成形品である。ハンドル２４は、左右方向に延びる持ち手部２４ａと、持ち手部２４ａの左端部から下方に延びるスライド部２４ｂと、持ち手部２４ａの右端部から下方に延びるスライド部２４ｃとを有している。
【００４９】
スライド部２４ｂは、上下移動のガイドである長穴２４ｂ１が形成され、スライド部２４ｂの下側部には、外側方に突設される係合突起２４ｂ２が、略半円柱状など曲率をもつ横断面形状を有する柱状に形成されている。同様に、スライド部２４ｃは、上下移動のガイドである長穴２４ｃ１が形成され、スライド部２４ｃの下側部には、外側方に突設される係合突起２４ｃ２が、略半円柱状など曲率をもつ横断面形状を有する柱状に形成されている。
【００５０】
一方、乾燥機本体２１には、スライド部２４ｂの長穴２４ｂ１に嵌入される円筒状の第１上案内リブ２１ｉ１と、スライド部２４ｃの長穴２４ｃ１に嵌入される円筒状の第２上案内リブ２１ｉ２とが、それぞれ前後方向に立設されている。
【００５１】
また、乾燥機本体２１には、ハンドル２４の乾燥機本体２１内への収容状態の位置と、ハンドル２４の乾燥機本体２１内からの引き出し状態の位置とに対応して、スライド部２４ｃの外側面に向けて、下被係合突起２１ｔ１、上被係合突起２１ｔ２が、それぞれ略半円柱状など曲率をもつ横断面形状を有する柱状に突設されている。
【００５２】
この構成によって、図６に示すように、ハンドル２４の乾燥機本体２１内への収容時には、ハンドル２４のスライド部２４ｂ、２４ｃの各長穴２４ｂ１、２４ｃ１の上部に乾燥機本体２１の円筒状の案内リブ２１ｉ１、２１ｉ２が当接する。同時に、ハンドル２４のスライド部２４ｃの係合突起２４ｃ２が乾燥機本体２１の下被係合突起２１ｔ１の下部に係合して、ハンドル２４が乾燥機本体２１内へ収容される状態が維持される。
【００５３】
一方、図７に示すように、ハンドル２４の乾燥機本体２１内からの引き出し時には、ハンドル２４のスライド部２４ｂ、２４ｃの各長穴２４ｂ１、２４ｃ１の下部に乾燥機本体２１の円筒状の案内リブ２１ｉ１、２１ｉ２がそれぞれ当接する。同時に、ハンドル２４のスライド部２４ｃの係合突起２４ｃ２が乾燥機本体２１の上被係合突起２１ｔ２の上部に係合して、ハンドル２４の乾燥機本体２１内からの引き出し状態が維持される。
なお、ハンドル２４は左右対称に形成されるため、ハンドル２４を乾燥機本体２１に組み付ける際には、左右方向を意識する必要がなく、組み立て性がよい。
【００５４】
＜化粧パネル２６＞
図８は、化粧パネルを取り外した乾燥機本体を斜め上前方から見た斜視図である。
乾燥機本体２１には、化粧パネル２６を取り付けるための下取り付け部２７と、上取り付け部２８とが設けられている。
下取り付け部２７と、上取り付け部２８とは、左右対称な形状に一対設けられるので、一方側の下取り付け部２７と上取り付け部２８との説明を行い、他方側の説明は省略する。
【００５５】
乾燥機本体２１の下取り付け部２７は、嵌入孔２７ａが中央に貫設されている。そして、嵌入孔２７ａが形成される内側の壁板には、被係合孔２７ｂが内方に向けて貫設されている。また、嵌入孔２７ａの廻りには、前方に突出して形成される案内リブ２７ｃが、上方側が切り欠かれた形状に嵌入孔２７ａを囲繞する形状に形成されている。
【００５６】
乾燥機本体２１の上取り付け部２８は、嵌入孔２８ａが中央に貫設されている。そして、嵌入孔２８ａが形成される内側の壁板には、被係合孔２８ｂが内方に向けて貫設されている。また、嵌入孔２８ａの廻りには、前方に突出して形成される案内リブ２８ｃが、下方側が切り欠かれた形状に嵌入孔２８ａを囲繞する形状に形成されている。
【００５７】
乾燥機本体２１の中央上部には、化粧パネル案内リブ２１ｒが、上部が切り欠かれた下壁２１ｒ１および側壁２１ｒ２を有する略Ｕ字形状に前方に突出して形成されている。
【００５８】
なお、図８に示すとおり、化粧パネル２６を乾燥機本体２１へ取り付けるための下取り付け部２７、上取り付け部２８は、いずれも乾燥機本体２１の前面側に設けられている。そして、乾燥機本体２１への空気吸い込み口Ｖｃは、化粧パネル２６の奥の乾燥機本体２１の前面側に設けられ（詳細は図１０（ａ）参照）、空気吸い込み口Ｖｃと連通している収納部５３に、ＨＥＰＡフィルタ６０（第２のフィルタ）、フィルタカバーｆ、粗いフィルタ６１（第１のフィルタ）が収納・装着される。なお、図８のフィルタカバーｆの紙面手前側には実際には粗いフィルタ６１（後記の図１２などを参照）が装着される。このため、フィルタカバーｆのうち、粗いフィルタ６１よりも紙面奥側の様子は破線で描いてある。
【００５９】
図９（ａ）はフィルタカバーを乾燥機本体の外側から見た斜視図、図９（ｂ）はフィルタカバーを乾燥機本体の内側から見た斜視図である。
図９（ａ）に示すように、フィルタカバーｆは、通気口部ｆ１と、平板部ｆ２と、平坦部ｆ３と、平板部ｆ２および平坦部ｆ３の周囲を囲む枠部Ｗとを有してなる。ここでフィルタカバーｆは、枠部Ｗの例えば右方に平坦部ｆ３の平面形状が形成されている。さらに、平坦部ｆ３から断面視で粗いフィルタ６１の厚みに相当する段差分の凹みを介して平板部ｆ２が設けられている。また、通気口部ｆ１は、例えば平板部ｆ２において、フィルタカバーｆの短手方向に沿って、略長方形でスリット状に列をなすようにして穿孔されている。また、略長方形の長手方向の両端部が、半円形状を呈するようにして穿孔されている。しかし、特にこの形状には限定されない。
この通気口部ｆ１は、布団８，９に送る空気を乾燥機本体２１の内部に導入するために、穿孔されたものである。
また、フィルタカバーｆの右側面部の側には、平坦部ｆ３と枠部Ｗに跨って形成される取っ手部４３と、枠部Ｗに形成された蓋係合突起４０（４０ａ，４０ｂ）が設けられている。
取っ手部４３は、フィルタカバーｆを乾燥機本体２１に着脱させる際に、例えばユーザが指を掛けてフィルタカバーｆの取り付けや取り外しができるように形成された部位である。本実施形態では、例えば取っ手部４３は、フィルタカバーｆの右端に設けられた平坦部ｆ３の略中央部分を円形に切り欠かれた切り欠き部によって形成されているが、特にこれには限定されない。例えば、取っ手部４３はＶ字型に切り欠かれた切り欠き部であってもよいし、例えばノブ状のつまみを有してなるものであってもよい。
蓋係合突起４０（４０ａ，４０ｂ）は、フィルタカバーｆを乾燥機本体２１に取り付けるために設けられた係合部である。
【００６０】
また、前記したように、図９（ｂ）はフィルタカバーを乾燥機本体の内側から見た斜視図である。つまり、図９（ａ）の紙面裏側から見た斜視図である。
図９（ｂ）に示すように、フィルタカバーｆには、前記した蓋係合突起４０（４０ａ，４０ｂ）の他に、カバー側ガード部４１が４１ａ〜４１ｈの８箇所と、位置決め係合突起４２が１箇所備えられている。
カバー側ガード部４１（４１ａ〜４１ｈ）は、フィルタカバーｆの枠部Ｗの適宜の位置に、鉛直方向に突出するようにして形成された爪状のガード部である。カバー側ガード部４１の内側であってフィルタカバーｆの平板部ｆ２から見た外側（図９（ａ）の紙面手前側）には粗いフィルタ６１（詳細は図１２を参照。図９（ａ）では不図示）がプレフィルタとして挿入される。また、フィルタカバーｆの平板部ｆ２から見た内側には、ガード支柱４４を介してＨＥＰＡフィルタ６０（詳細は図１０（ｂ）で後記）が装着される。このように、フィルタカバーｆにカバー側ガード部４１、ガード支柱４４を設けることで、種類の異なるフィルタ（具体的には、例えばＨＥＰＡフィルタ６０と、粗いフィルタ６１）が、乾燥機本体２１の運転による振動などで外れてしまったり、形が崩れてしまわないようにガードする役割を担っている。
なお、本実施形態では、カバー側ガード部４１が順に、フィルタカバーｆの上枠部Ｗに４１ａ，４１ｂ、フィルタカバーｆの左枠部Ｗに４１ｃ，４１ｄ、フィルタカバーｆの下枠部Ｗに４１ｅ，４１ｆ、フィルタカバーｆの右枠部Ｗに４１ｇ、４１ｈの８箇所設けられているが、これには限定されない。
位置決め係合突起４２は、フィルタカバーｆにおいて、取っ手部４３と反対側の位置に、水平方向（紙面左側）に突出するようにして設けられた突起である。位置決め係合突起４２は、位置決め被係合孔５２（後記する図１３などを参照）と係合することで、フィルタカバーｆと乾燥機本体２１との左右方向の位置決めがされる突起である。
【００６１】
図１０（ａ）は、乾燥機本体からフィルタカバーを取り外した状態を示す図、図１０（ｂ）は、図１０（ａ）の状態から、ＨＥＰＡフィルタを装着したときの状態を示す図である。
図１０（ａ）に示すように、乾燥機本体２１からフィルタカバーｆを取り外すと、前記した蓋係合突起４０（４０ａ，４０ｂ）と対応する位置に蓋被係合孔５０（５０ａ，５０ｂ）が、位置決め係合突起４２と対応する位置に位置決め被係合孔５２が形成されている。
また、粗いフィルタ６１やＨＥＰＡフィルタ６０（詳細後記）、フィルタカバーｆを収納するための収納部５３が設けられている。換言すると、粗いフィルタ６１、フィルタカバーｆ、ＨＥＰＡフィルタ６０は、収納部５３に収納されている。ゆえに、収納部５３の形状は、例えば収納されるＨＥＰＡフィルタ６０、およびフィルタカバーｆの形状に合わせて、略四角箱形状の凹部となるように形成すればよい（なお、粗いフィルタ６１はフィルタカバーｆに収まる大きさである）。この際、ＨＥＰＡフィルタ６０が収納される部分と、フィルタカバーｆが収納される部分とでは、フィルタカバーｆが収納される部分の方が断面積が大きな四角箱形状となるようにしてもよい。つまり、収納部の外形が断面視で略階段状の段差を有して、四角箱が複数個積み重なるような形状を呈していてもよい（後記する図１１（ａ）なども併せて参照）。実施形態では、収納部５３の縦横の大きさは、ＨＥＰＡフィルタの縦横の大きさと略同じかそれ以上となるようにされている。但し、収納部５３の厚み（奥行きの深さ）に関しては、例えば収納されるＨＥＰＡフィルタ６０の厚みに対する７〜８割程度の厚みを有するようにするのが望ましい。このようにすることで、フィルタカバーｆを装着するとＨＥＰＡフィルタ６０がガード支柱４４および本体側ガード部５１によってわずかに圧縮される。これにより、乾燥機本体２１の運転時の振動などによって、ＨＥＰＡフィルタ６０が外れてしまったり、型崩れを起こすことを回避できる。
【００６２】
、図１０（ｂ）は、図１０（ａ）の状態から、ＨＥＰＡフィルタを装着したときの状態を示す図である。
前記したように、乾燥機本体２１には、前面側に空気吸い込み口Ｖｃが備えられ、空気吸い込み口Ｖｃと連通するようにして、箱状に凹設された収納部５３を有している。なお、収納部５３の形状は、特に限定されない。このように、乾燥機本体２１の前面側に空気吸い込み口Ｖｃを備えることで、後面側に備える場合よりも、塵埃の少ない室内空気を吸気し、乾燥機本体２１に取り込むことができるようにされている。
【００６３】
また、図１０（ｂ）に示すように、収納部５３にはＨＥＰＡフィルタ６０（ＨＥＰＡ：High Efficiency Particulate Air Filter）が装着される。ここで、ＨＥＰＡフィルタ６０とは、例えばＪＩＳ  Ｚ  ８１２２によって規定される、「定格風量で粒径が０．３μｍの粒子に対して、９９．９７％以上の粒子捕集率をもち、初期圧力損失が２４５Ｐａ以下の性能を持つ」エアフィルタである。ここで、実施形態で用いるＨＥＰＡフィルタ６０の大きさは、例えば縦が１２３ｍｍ、横が１１８ｍｍ、厚みが１５ｍｍとなっている。しかし、特にこの大きさには限定されない。
【００６４】
図１１（ａ）は、図８のＸ−Ｘ断面図であり、実施形態に係わるフィルタカバーの蓋係合突起と乾燥機本体の蓋被係合孔が係合した様子を説明する図である。なお、図１１（ａ）は図８のＸ−Ｘ断面から下方を見た図である。また、図９（ａ）、図９（ｂ）にも参考までにＸ−Ｘ断面に相当する位置を示してある。図１１（ｂ）は、図１１（ａ）と対応して、蓋係合突起と蓋被係合孔が係合する直前の様子を説明する断面図である。また、図１１（ｃ）は、図１１（ａ）と対応して、蓋係合突起と蓋被係合孔との係合が解除された直後の様子を説明する断面図である。
図１１（ａ）に示すように、本発明の実施形態に係わるフィルタカバーｆの蓋係合突起４０（４０ａ）は、フィルタカバーｆの平坦部ｆ３から乾燥機本体２１の内側に向けて略直角に延びた突起部４０ａ２の略先端部分に、フィルタカバーｆの外側に向けて突出するようにされた係合凸部４０ａ１を有してなる。また、これと対応するようにして、乾燥機本体２１の蓋被係合孔５０（５０ａ）には、係合凸部４０ａ１と外形形状が一致するようにされた係合凹部５０ａ１を有している。そして、フィルタカバーｆと乾燥機本体２１とを係合させる際には、具体的には、後記の図１１（ｂ）に示す力Ｆ１をフィルタカバーｆに加え、蓋係合突起４０（４０ａ）の係合凸部４０ａ１を、蓋被係合孔５０（５０ａ）の係合凹部５０ａ１に嵌め込むことによって、係合が実現される。
なお、係合凸部４０ａ１が設けられている位置は、突起部４０ａ２の略先端部分であると説明したが、これには限定されない。例えば、突起部４０ａ２の略中央部分、または略基端部分に設けるようにしてもよい。
【００６５】
次に、図１１（ｂ）を参照しながら、蓋係合突起と蓋被係合孔が係合する直前の様子を説明する。なお、フィルタカバーｆを乾燥機本体２１に装着する際は、詳細を図１３で後記するが、ユーザが取っ手部４３（図９（ａ）などを参照）を指でつまみ、フィルタカバーｆの位置決め係合突起４２を、乾燥機本体２１の位置決め被係合孔５２に予め係合させる。この状態で、フィルタカバーｆを乾燥機本体２１に押しこむ（力Ｆ１の向き）ようにして、蓋係合突起４０（４０ａ）を収納部５３内に挿入させる。すると、図１１（ｂ）に示すように、蓋係合突起４０（４０ａ）の係合凸部４０ａ１の先端側の凸形状によって、突起部４０ａ２がフィルタカバーｆの内側に向けて弾性変形させられ（実線矢印参照）、フィルタカバーｆの外側に向けて弾性力が生じた状態となる。この状態でさらにフィルタカバーｆの挿入が進むと、係合凸部４０ａ１が係合凹部５０ａ１に到達した時点で前記の弾性力によって、蓋係合突起４０（４０ａ）の係合凸部４０ａ１が、蓋被係合孔５０（５０ａ）の係合凹部５０ａ１に嵌め込まれる。以上の過程を経て、図１１（ａ）で説明した状態となり、フィルタカバーｆと乾燥機本体２１との係合が実現される。
【００６６】
次に、図１１（ｃ）を参照しながら、蓋係合突起と蓋被係合孔との係合が解除された直後の様子を説明する。図１１（ａ）の状態から、ユーザが取っ手部４３（図９（ａ）などを参照）を指でつまみ、フィルタカバーｆを乾燥機本体２１から外す（力Ｆ２の向き）。この際、フィルタカバーｆの位置決め係合突起４２（詳細は後記図１３参照）は、乾燥機本体２１の位置決め被係合孔５２に係合させた状態を保っているものとする。すると、図１１（ｃ）に示すように、蓋係合突起４０（４０ａ）の係合凸部４０ａ１の基端側の凸形状によって、突起部４０ａ２がフィルタカバーｆの内側に向けて弾性変形させられ（実線矢印参照）、フィルタカバーｆの外側に向けて弾性力が生じた状態となる。このようにして、蓋係合突起４０（４０ａ）の係合凸部４０ａ１と、蓋被係合孔５０（５０ａ）の係合凹部５０ａ１との係合が解除され、ユーザがさらにフィルタカバーｆを引き上げることによって、フィルタカバーｆを乾燥機本体２１から取り外すことができるようにされている。
なお、図１１（ａ）〜図１１（ｃ）は、例えば蓋係合突起４０ａの断面図を例に挙げて説明した。しかし、その他の蓋係合突起４０ｂも、その断面構成は蓋係合突起４０ａの断面図である図１１（ａ）と同様である。ゆえに、図示および詳細な説明の記載を省略する。
【００６７】
図１２は、図８のＹ−Ｙ断面図であり、実施形態に係わるフィルタカバーのカバー側ガード部およびガード支柱４４がそれぞれ、粗いフィルタおよびＨＥＰＡフィルタをガードする様子を説明する図である。なお、図１２は図８のＹ−Ｙ断面から下方を見た図である。
図１２に示すように、フィルタカバーｆは、前記したカバー側ガード部４１（図１２では４１ｃ，４１ｅ，４１ｆ，４１ｈのみ示す）と平板部ｆ２とが、粗いフィルタ６１を断面視で挟み込んでガードするようにして配置されている。また、フィルタカバーｆは、ガード支柱４４が、ＨＥＰＡフィルタ６０の型崩れを防止してガードするように配置されている。ここで、本実施形態では、ＨＥＰＡフィルタ６０の収納部５３の厚み（奥行きの深さ）は、前記したとおりＨＥＰＡフィルタ６０の厚みに対して７〜８割程度となるようにされている。これにより、フィルタカバーｆを乾燥機本体２１に装着した際、ＨＥＰＡフィルタ６０はガード支柱４４、および本体側ガード部５１に挟まれて、わずかに押圧される形となる。また、粗いフィルタ６１は、爪状のカバー側ガード部４１にガードされ、粗いフィルタ６１の型崩れが防止がされている。これにより、ＨＥＰＡフィルタ６０、および粗いフィルタ６１が、収納部５３から脱落しないようにすることができるとともに、乾燥機本体２１に振動などが加わった場合でも、型崩れを起こしてしまわないようにすることができる。
ここで、プレフィルタとなる粗いフィルタ６１には、例えばアレルキャッチャー（登録商標）を用いてもよい。アレルキャッチャーを装着すれば、ダニや花粉のアレルゲンを吸着・分解したり、ホルムアルデヒドの分解をしたりできる。また、汗や加齢臭の消臭を行うことができるとともに、抗菌防臭効果も有しているので、好適であるといえる。また、例えばＨＥＰＡフィルタ６０よりは目の粗い、粗い粒子を捕捉する公知のエアフィルタを挿入・装着するようにしてもよい。なお、粗いフィルタ６１の内側、すなわちフィルタカバーｆの側は、図９（ａ）に示すように、フィルタカバーｆの平板部ｆ２によってガードされ、粗いフィルタ６１の内側、すなわち乾燥機本体２１の側（図９（ａ）の紙面奥側）への動きが規制されている。
なお、図１２は例えばカバー側ガード部４１ｃ，４１ｈの断面図を示したものである。ここで、カバー側ガード部４１ｃは、例えばフィルタカバーｆの平坦部ｆ３から、断面視でフィルタカバーｆの内側に延出された形状となるように形成されている。また、カバー側ガード部４１ｈは、例えばフィルタカバーｆの枠部Ｗの基端部分から、断面視でフィルタカバーｆの内側に延出された形状を有している。なお、その他のカバー側ガード部（４１ａ，４１ｂ、４１ｄ〜４１ｇ）の断面構成については、図１２で示したカバー側ガード部４１ｃ、またはカバー側ガード部４１ｈと同様であるので、その詳細な説明を省略する。
【００６８】
図１３は、図８のＺ−Ｚ断面図であり、実施形態に係わるフィルタカバーの位置決め係合突起と乾燥機本体の位置決め被係合孔とが係合した様子を説明する図である。なお、図１３は図８のＺ−Ｚ断面から下方を見た図である。
図１３に示すように、フィルタカバーｆの位置決め係合突起４２を、乾燥機本体２１の位置決め被係合孔５２に嵌め込んで、係合させる。このようにすることで、フィルタカバーｆと乾燥機本体２１との左右方向の位置決めがされる。
なお、位置決め係合突起４２は、例えば図１３で示した断面視で略Ｌ字状となるように、フィルタカバーｆの枠部Ｗの先端部分から外側に向けて垂直に突出して形成された突起である。
【００６９】
以上のようにすることで、例えばＨＥＰＡフィルタ６０や、粗いフィルタ６１の換装作業を容易に行うことができる。具体的には、例えばＨＥＰＡフィルタ６０や、粗いフィルタ６１を交換したい場合には、まず、取っ手部４３をつまんでフィルタカバーｆを乾燥機本体２１から取り外す。そして、フィルタカバーｆの外側（乾燥機本体２１の外側）にカバー側ガード部４１によって装設されている粗いフィルタ６１を交換する。また、収納部５３に収納されているＨＥＰＡフィルタ６０を取り出し、新しいＨＥＰＡフィルタ６０を入れ込むようにして収納部に収納して装設する。つまり、ＨＥＰＡフィルタ６０は何かに固定されることなく、収納部５３に収納されている。そして最後に、取っ手部４３をつまんでフィルタカバーｆを乾燥機本体２１の収納部５３内に押し込むようにして装着すればよい。
【００７０】
次に、図１４は、乾燥機本体から取り外した化粧パネルの内部側を斜め上方から見た斜視図である。
【００７１】
化粧パネル２６は、合成樹脂を用いて、射出成形によって下記の構成に一体に成形される。
化粧パネル２６の裏面側には、円筒状のパネル取り付け案内リブ２６ｒと、下爪部２９および上爪部３０が形成されている。下爪部２９および上爪部３０は、化粧パネル２６を乾燥機本体２１に取り付けるためのものである。
【００７２】
パネル取り付け案内リブ２６ｒは、化粧パネル２６を乾燥機本体２１に取り付ける際に位置決めとなるものであり、化粧パネル２６の裏面側上部に後方に突出する円筒形状を有して形成されている。
【００７３】
化粧パネル２６の下爪部２９と上爪部３０とは、左右対称な形状に一対設けられるので、一方側の下爪部２９と上爪部３０との説明を行い、他方側の説明は省略する。
化粧パネル２６の下爪部２９は、後方に突出する形状の略コ字状の断面を有する嵌入爪２９ａが形成されている。嵌入爪２９ａには、弾性変形する平板状の変形アーム２９ｂが片持ち状に形成されている。そして、変形アーム２９ｂの自由端側であって中央側の面には、嵌入突起２９ｂ１が曲率を有する形状に中央側に突出して形成されている。
【００７４】
化粧パネル２６の上爪部３０は、後方に突出する形状の略コ字状の断面を有する嵌入爪３０ａが形成されている。嵌入爪３０ａには、弾性変形する平板状の変形アーム３０ｂが片持ち状に形成されている。そして、変形アーム３０ｂの自由端側であって中央側の面には、嵌入突起３０ｂ１が曲率を有する形状に中央側に突出して形成されている。
さらに、嵌入爪３０ａの先端部には、取り外し用操作部３０ａ１が、平板形状を有して乾燥機本体２１の内部側に突出する形状に形成されている。
【００７５】
＜化粧パネル２６の取り付け＞
化粧パネル２６を、乾燥機本体２１に取り付ける場合には、化粧パネル２６の裏面側を、乾燥機本体２１の前面側に対向させる。そして、化粧パネル２６の裏面側下部の左右の下爪部２９の嵌入爪２９ａを、乾燥機本体２１の前面側の左右の下取り付け部２７(図８参照)の嵌入孔２７ａに嵌入して押し入れる。
【００７６】
すると、化粧パネル２６の裏面側下部の左右の嵌入爪２９ａの変形アーム２９ｂの嵌入突起２９ｂ１が、それぞれ乾燥機本体２１の左右の嵌入孔２７ａの壁面に当接して、左右の変形アーム２９ｂが弾性変形して左右の嵌入突起２９ｂ１が左右の被係合孔２７ｂにそれぞれ嵌入して係合する(図１５参照)。なお、図１５は、化粧パネルの下部が、乾燥機本体に係合した状態を示す要部一部切り欠き斜視図である。
【００７７】
そして、化粧パネル２６の裏面側上部の円筒状のパネル取り付け案内リブ２６ｒを、乾燥機本体２１の化粧パネル案内リブ２１ｒに嵌入して、化粧パネル２６を乾燥機本体２１に対して位置決めする。
【００７８】
続いて、化粧パネル２６の裏面側上部の左右の嵌入爪３０ａ(図１４参照)を、それぞれ乾燥機本体２１の前面側の左右の上取り付け部２８の嵌入孔２８ａに嵌入して押し入れる。すると、化粧パネル２６の裏面側下部の左右の嵌入爪３０ａの変形アーム３０ｂの嵌入突起３０ｂ１が、それぞれ乾燥機本体２１の左右の嵌入孔２８ａの壁面に当接して、左右の変形アーム３０ｂが弾性変形することによって、変形アーム３０ｂの嵌入突起３０ｂ１が、乾燥機本体２１の左右の嵌入孔２８ａの被係合孔２８ｂに嵌入して係合する(図１６参照)。
【００７９】
なお、図１６は、化粧パネルの上部が、乾燥機本体に係合した状態を示す要部の切り欠き斜視図である。
【００８０】
このように、化粧パネル２６は、下部の一対の変形アーム２９ｂと上部の一対の変形アーム３０ｂの弾性変形を用いて、乾燥機本体２１の前面側に取り付けられる。
一方、フィルタカバーｆ(図８参照)の掃除や交換時に、化粧パネル２６を乾燥機本体２１から取り外す際には、図３に示すように、開閉蓋２５を開ける。
【００８１】
そして、使用者が乾燥機本体２１内に手を入れ、化粧パネル２６の裏面側上部の左右の嵌入爪３０ａの取り外し用操作部３０ａ１を左右の外方に押圧することで(図１６の矢印α１参照)、変形アーム３０ｂを外側に変形させる。これにより、左右の変形アーム３０ｂの嵌入突起３０ｂ１を、乾燥機本体２１の左右の嵌入孔２８ａの被係合孔２８ｂ内から外し、手前に化粧パネル２６を引き出す。これにより、化粧パネル２６の下部の左右の変形アーム２９ｂが弾性変形して左右の嵌入突起２９ｂ１(図１５参照)が左右の被係合孔２７ｂから外れ、化粧パネル２６が乾燥機本体２１から取り外される。
【００８２】
このような乾燥機本体２１への取り付け機構をもつ化粧パネル２６は、樹脂によって一体に、射出成形によって形成される。そのため、化粧パネル２６の製造は極めて簡易に行える。
また、化粧パネル２６の乾燥機本体２１への取り付けおよび取り外し作業は、使用者が極めて容易に遂行することができる。
【００８３】
さらに、化粧パネル２６の取り付け構成を、その裏面側での取り付け、取り外し構成とすることによって、化粧パネル２６と乾燥機本体２１との隙間を可及的に狭くすることができる。例えば、化粧パネル２６と乾燥機本体２１との隙間寸法を、１０ｍｍ以下例えば６ｍｍ程度とすることができる。或いは、さらにこの隙間寸法を狭めることが可能である。
このようにすることで、乾燥機本体２１の前面側に設けられた化粧パネル２６を装着したままでも、布団乾燥するにあたって、必要にして充分な空気量を吸気することができるようにされている。
【００８４】
＜＜作用・効果＞＞
実施形態の構成によれば、下記の効果を奏する。
布団乾燥機２Ｆの乾燥機本体２１に、厚みの有るＨＥＰＡフィルタ６０などの空気清浄部材を収納させるため、乾燥機本体２１の空気吸い込み口Ｖｃ（吸気口）と連通する部分に、箱状に凹設された収納部５３を設ける構成とした。
これにより、ＨＥＰＡフィルタ６０を乾燥機本体２１に装着する際は、固定するのではなく、収納部５３に入れ込むようにして挿入するのみで容易に装設できるようにされている。
また、収納部５３は前記したとおり箱状に凹設され、極力省スペース化が図られているので、厚みの有るＨＥＰＡフィルタ６０などの空気清浄部材を収納部５３に収納しても、乾燥機本体２１の外観上のデザインに影響を与えてしまうといったことがない。
更に、フィルタカバーｆにガード支柱４４が設けられて、ＨＥＰＡフィルタ６０がガード支柱４４によって押圧されているので、乾燥機本体２１の運転中などの振動によって、ＨＥＰＡフィルタ６０が脱落したりしないようにされている。
さらにまた、爪状のカバー側ガード部４１が粗いフィルタ６１をガードしているので、乾燥機本体２１の振動によって、粗いフィルタ６１が脱落したりしないようにされている。
【００８５】
また、収納部５３には、ＨＥＰＡフィルタ６０に代えて、ＵＬＰＡフィルタなどの高性能な集塵フィルタを収納させてもよい。また、これには特に限定されず、ＨＥＰＡフィルタ６０に代えて、多種多様な空気清浄部材を収納させることができる。具体的には、例えば、脱臭／消臭用フィルタ、抗菌／除菌用フィルタ、除湿用フィルタ、芳香剤などを収納させてもよい。
【００８６】
なお、本発明は前記した実施形態に限定されるものでなく、様々な変形例が含まれる。また、上記した実施形態は本発明を分り易くするために詳細に説明したものであり、必ずしも説明した全ての構成を備えるものに限定されるものではない。
【００８７】
例えば、ある実施形態の構成の一部を他の構成に置き換えることが可能であり、また、ある実施形態の構成に、他の構成の一部もしくは全てを加えることも可能である。
また、各実施形態の構成の一部について、他の構成の追加・削除・置換をすることが可能である。
【００８８】
具体的には、実施形態ではカバー側ガード部４１（４１ａ〜４１ｈ）は、フィルタカバーｆの枠部Ｗの適宜の位置に、鉛直方向に突出するようにして形成されたガード部分であると説明した。しかし、空気の吸い込みを阻害しない範囲内で、板状もしくは棒状の筋交いを設ける構成であってもよい。
【００８９】
また、フィルタカバーｆはヒンジや蝶つがいを備えるものであってもよい。また、通気口ｆ１は角が落とされた略四角形状ではなく、同心円状または多角形状を呈するようにして穿孔されたものであってもよい。また、複数の貫通孔が穿孔された通気口ｆ１であってもよい。
【００９０】
また、ＨＥＰＡフィルタ６０は例えば２重折りなど、複数回折り重ねた状態で収納部５３に収納してもよいし、種類の異なる複数の空気清浄部材を挟むようにして併せて収納させてもよい。
【００９１】
また、実施形態では、例えば空気中の細かい塵埃を取り除く集塵フィルタの一種として、ＨＥＰＡフィルタ６０を装着している。しかし、これには特に限定されず、ＨＥＰＡフィルタ６０よりもさらに高性能な集塵フィルタである、例えばＵＬＰＡフィルタを装着するようにしてもよい。また、集塵フィルタに限られず、脱臭、消臭、抗菌／除菌、除湿などの各機能を有する空気清浄フィルタや、芳香剤を含むフィルタなどの空気清浄部材を収納部５３に収納させてもよい。
【符号の説明】
【００９２】
２１乾燥機本体（本体部）
２      ホース
１３    乾燥ユニット
３ａ    前部温風吹出し口
３ｂ    側部温風吹出し口
３ｃ、１３ｃ  後部温風吹出し口
３ｄ、１３ｄ  上下部温風吹出し口
８      敷き布団(布団)
９      掛け布団(布団)
１１    外周部温風通路
１２    中心部温風通路
１３ａ  前部温風吹出し口
１３ａ１  凹部温風吹出し口
１３ｂ  側部温風吹出し口
１３Ａ、２３Ａ  脚部
１３Ａ１、２３Ａ１  前端縁
１３Ｐ  通気スペース
２１ｂ(２１ｂ１、……、２１ｂ８)  操作スイッチ
２１ｃ  連結口
２１ｈ  表示装置
２１ｔ１  下被係合突起
２１ｔ２  上被係合突起
２１ｋ１  側面板
２１ｋ２  下面板
２１ｋ８  角部
２１ｋ９  凹部
２１ｉ１  第１上案内リブ
２１ｉ２  第２上案内リブ
２３ａ  前部温風吹出し口
２４    ハンドル
２４ｂ１、２４ｃ１  長穴
２４ｃ２  係合突起
２６    化粧パネル
２７    下取り付け部
２８    上取り付け部
２９    下爪部
３０    上爪部
３０ａ１  取り外し用操作部
３３ａ  前部温風吹出し口
３３Ａ  脚部
３３Ｂ  調整脚部
４０（４０ａ，４０ｂ）  蓋係合突起
４０ａ１  係合凸部
４０ａ２  突起部
４１（４１ａ〜４１ｈ）  カバー側ガード部（ガード部材）
４２    位置決め係合突起
４３    取っ手部４３
４４    ガード支柱（ガード部材）
５０（５０ａ，５０ｂ）  蓋被係合孔
５０ａ１  係合凹部
５１    本体側ガード部
５２    位置決め被係合孔
５３    収納部
６０    ＨＥＰＡフィルタ（第２のフィルタ）
６１    粗いフィルタ（第１のフィルタ）
Ｃ      電源コード
Ｃ１    制風板
２Ｆ      布団乾燥機
ｆ      フィルタカバー（カバー部材）
ｆ１    通気口部
ｆ２    平板部
ｆ３    平坦部
Ｏ      温風
Ｖｃ    空気吸い込み口
Ｆ１，Ｆ２  力
Ｗ      枠部
【図１】
2016073500.tif 000003
【図２】
2016073500.tif 000004
【図３】
2016073500.tif 000005
【図４】
2016073500.tif 000006
【図５】
2016073500.tif 000007
【図６】
2016073500.tif 000008
【図７】
2016073500.tif 000009
【図８】
2016073500.tif 000010
【図９】
2016073500.tif 000011
【図１０】
2016073500.tif 000012
【図１１】
2016073500.tif 000013
【図１２】
2016073500.tif 000014
【図１３】
2016073500.tif 000015
【図１４】
2016073500.tif 000016
【図１５】
2016073500.tif 000017
【図１６】
2016073500.tif 000018